(57)【要約】【課題】屋内に設置する場合は勿論のこと、屋外に設置する場合においても手軽にアンテナを設置出来、その上、方位角の調節も極めて容易にでき、その上、構成は簡易で、しかも、堅固に構成しうる屋内、屋外両用アンテナを提供する。【解決手段】指向性を備えるアンテナ部材８をケース６で包囲してなるアンテナ主体部２と、中空円筒状に形成してあって、上面を上記アンテナ主体部２のケース６の下面に一体的に連結してある円筒状の連繋部材３とを備え、上記連繋部材３の外周面３ｂの形状は、上方が開口された中空穴状であって内周面は円筒状にしてある嵌合孔２１ａを備える把持手段２０に対して、上方から、上記嵌合孔２１ａに対して、着脱自在で、かつ、回転自在に嵌合できる対応形状に形成してあり、さらに上記連繋部材３には、把持手段２０に備えさせる止具２５によって位置決めする為の止部４を備えさせてある。【選択図】    図１
0003127558.tif 000002
【実用新案登録請求の範囲】
【請求項１】
指向性を備えるアンテナ部材をケースで包囲してなるアンテナ主体部と、中空円筒状に形成してあって、上面を上記アンテナ主体部のケースの下面に一体的に連結してある円筒状の連繋部材とを備え、上記連繋部材の外周面の形状は、上方が開口された中空穴状であって内周面は円筒状にしてある嵌合孔を備える把持手段に対して、上方から、上記嵌合孔に対して、着脱自在で、かつ、回転自在に嵌合できる対応形状に形成してあり、さらに上記連繋部材には、把持手段に備えさせる止具によって位置決めする為の止部を備えさせてあることを特徴とする屋内、屋外両用アンテナ。
【請求項２】
指向性を備えるアンテナ部材をケースで包囲してなるアンテナ主体部と、中空円筒状に形成してあって、上面を上記アンテナ主体部のケースの下面に一体的に連結してある円筒状の連繋部材とを備え、さらに、上方が開口された中空穴状であって内周面は円筒状にしてある嵌合孔を備える把持手段と、把持手段に隣接一体状態で備えさせた造営物取付手段とを備えるアンテナ支持構造と、上記把持手段における嵌合孔に対して、上記連繋部材を、上方から、着脱自在で、かつ、回転自在に嵌合して、把持手段に備えさせた止具を用いて把持手段における把持部材と連繋部材とを固定させたことを特徴とする屋外用アンテナ。  
【請求項３】
指向性を備えるアンテナ部材をケースで包囲してなるアンテナ主体部と、中空円筒状に形成してあって、上面を上記アンテナ主体部のケースの下面に一体的に連結してある円筒状の連繋部材とを備え、さらに、上方が開口された中空穴状であって内周面は円筒状にしてある嵌合孔を備える把持手段と、把持手段の下側において把持手段と一体状態に構成され、かつ、下側は、卓上に載置可能に構成されている卓上載置手段を備えるアンテナ支持台と、上記把持手段における嵌合孔に対して、上記連繋部材を、上方から、着脱自在で、かつ、回転自在に嵌合して、把持手段に備えさせた止具を用いて把持手段における把持部材と連繋部材とを固定させたことを特徴とする屋内用アンテナ。  
【請求項４】
指向性を備えるアンテナ部材をケースで包囲してなるアンテナ主体部と、中空円筒状に形成してあって、上面を上記アンテナ主体部のケースの下面に一体的に連結してある円筒状の連繋部材とを備え、さらに、上方が開口された中空穴状であって内周面は円筒状にしてある嵌合孔を備える把持手段と、把持手段に隣接一体状態で備えさせた造営物取付手段とを備えるアンテナ支持構造とを備え、さらに、上方が開口された中空穴状であって内周面は円筒状にしてある嵌合孔を備える把持手段と、把持手段の下側において把持手段と一体状態に構成され、かつ、下側は、卓上に載置可能に構成されている卓上載置手段を備えるアンテナ支持台とを備え、地上波用アンテナ主体部を屋内に設置するか、屋外に設置するかによって、上記アンテナ支持台又はアンテナ支持構造を選択利用できるようにして、選択された上記把持手段における嵌合孔に対して、上記連繋部材を、上方から、着脱自在で、かつ、回転自在に嵌合して、把持手段に備えさせた止具を用いて把持手段における把持部材と連繋部材とを固定させることを特徴とする屋内、屋外両用アンテナ。
【考案の詳細な説明】
【技術分野】
【０００１】
本考案は、地上波、例えば、地上デジタル放送の信号を受信する屋内、屋外両用アンテナに関し、詳しくは室内に設置して、或いは屋外に設置して、利用することのできる屋内、屋外両用アンテナに関する。
【背景技術】
【０００２】
従来の室内アンテナにあっては、例えばテーブルの上に載置可能に形成されている支持台の上面に対して、支柱を支えるためのサイド板を樹立し、これに対して支柱を起伏自在に枢着し、その支柱の上部にアンテナを装着した構成が知られている（例えば、特許文献１参照）。
【０００３】
【特許文献１】特開平９−３２６６２１号公報
【考案の開示】
【考案が解決しようとする課題】
【０００４】
上記構成のものにあって、受信する場合は、アンテナの指向性を電波到来方向に対応させれば受信することができる。その場合の操作としては、アンテナを受信電波到来方向に向けるため、前記支持台の向きを変える。そのことによって自由に方位角を変更することができる。
しかしながら、支持台には、ケーブルが連結してあるため、支持台を回動させるとケーブルも一緒に動く。その場合、テーブル上の花瓶等の卓上載置物があると、それに当り、場合によっては花瓶等を倒すなどの問題が発生する。
【０００５】
本件出願の目的は、屋内において手軽にアンテナを設置して利用することのでき、その上、屋内のみならず、屋外においても手軽にアンテナを設置して利用することのできる屋内、屋外両用アンテナを提供しようとするものである。
他の目的は、屋内に設置する場合は勿論のこと、屋外に設置する場合においても方位角の調節が極めて容易にできる 屋内、屋外両用アンテナを提供しようとするものである。
他の目的は、屋内のみならず、屋外においても手軽にアンテナを設置出来る構成であっても、その構成は簡易で、しかも、堅固に構成しうる屋内、屋外両用アンテナを提供しようとするものである。
他の目的及び利点は図面及びそれに関連した以下の説明により容易に明らかになるであろう。
【課題を解決するための手段】
【０００６】
本考案における屋内、屋外両用アンテナは、指向性を備えるアンテナ部材８をケース６で包囲してなるアンテナ主体部２と、中空円筒状に形成してあって、上面を上記アンテナ主体部２のケース６の下面に一体的に連結してある円筒状の連繋部材３とを備え、上記連繋部材３の外周面３ｂの形状は、上方が開口された中空穴状であって内周面は円筒状にしてある嵌合孔２１ａを備える把持手段２０に対して、上方から、上記嵌合孔２１ａに対して、着脱自在で、かつ、回転自在に嵌合できる対応形状に形成してあり、さらに上記連繋部材３には、把持手段２０に備えさせる止具２５によって位置決めする為の止部４を備えさせたものである。
【０００７】
また好ましくは、指向性を備えるアンテナ部材８をケース６で包囲してなるアンテナ主体部２と、中空円筒状に形成してあって、上面を上記アンテナ主体部２のケース６の下面に一体的に連結してある円筒状の連繋部材３とを備え、さらに、上方が開口された中空穴状であって内周面は円筒状にしてある嵌合孔２１ａを備える把持手段２０と、把持手段２０に隣接一体状態で備えさせた造営物取付手段２７とを備えるアンテナ支持構造２６と、上記把持手段２０における嵌合孔２１ａに対して、上記連繋部材３を、上方から、着脱自在で、かつ、回転自在に嵌合して、把持手段２０に備えさせた止具２５を用いて把持手段２０における把持部材２１と連繋部材３とを固定させたものであればよい。
【０００８】
また好ましくは、指向性を備えるアンテナ部材８をケース６で包囲してなるアンテナ主体部２と、中空円筒状に形成してあって、上面を上記アンテナ主体部２のケース６の下面に一体的に連結してある円筒状の連繋部材３とを備え、さらに、上方が開口された中空穴状であって内周面は円筒状にしてある嵌合孔２１ａを備える把持手段２０と、把持手段２０の下側において把持手段２０と一体状態に構成され、かつ、下側は、卓上に載置可能に構成されている卓上載置手段３６を備えるアンテナ支持台３５と、上記把持手段２０における嵌合孔２１ａに対して、上記連繋部材３を、上方から、着脱自在で、かつ、回転自在に嵌合して、把持手段２０に備えさせた止具２５を用いて把持手段２０における把持部材２１と連繋部材３とを固定させたものであればよい。
【０００９】
また好ましくは、指向性を備えるアンテナ部材８をケース６で包囲してなるアンテナ主体部２と、中空円筒状に形成してあって、上面を上記アンテナ主体部２のケース６の下面に一体的に連結してある円筒状の連繋部材３とを備え、さらに、上方が開口された中空穴状であって内周面は円筒状にしてある嵌合孔２１ａを備える把持手段２０と、把持手段２０に隣接一体状態で備えさせた造営物取付手段２７とを備えるアンテナ支持構造２６とを備え、さらに、上方が開口された中空穴状であって内周面は円筒状にしてある嵌合孔２１ａを備える把持手段２０と、把持手段２０の下側において把持手段２０と一体状態に構成され、かつ、下側は、卓上に載置可能に構成されている卓上載置手段３６を備えるアンテナ支持台３５とを備え、地上波用アンテナ主体部２を屋内に設置するか、屋外に設置するかによって、上記アンテナ支持台３５又はアンテナ支持構造２６を選択利用できるようにして、選択された上記把持手段２０における嵌合孔２１ａに対して、上記連繋部材３を、上方から、着脱自在で、かつ、回転自在に嵌合して、把持手段２０に備えさせた止具２５を用いて把持手段２０における把持部材２１と連繋部材３とを固定させるものであればよい。
【考案の効果】
【００１０】
以上のように本考案は、指向性を備えるアンテナ部材８をケース６で包囲してあるので、屋内に設置した場合に埃を被っても、容易に掃除できる簡便性がある。
また屋外に設置した場合は、外来物が飛来してきても、アンテナ部材８に直接当たる恐れは少なく、機械的に弱体なアンテナ部材８を保護して長期間の使用に耐える効果もある。
【００１１】
さらに、 アンテナ主体部２を、アンテナの把持手段２０に対して装着する場合は、ケース６の下面に一体的に連結してある円筒状の連繋部材３を把持手段２０の嵌合孔２１ａに挿入することにより、両者の機械的な連結を簡単に可能にするばかりか、把持手段２０に対するにアンテナ主体部２の方位角の回動調節も円筒物を回すだけで、極めて容易になる等、屋内のみならず、屋外における高所の危険な場所においてアンテナを設置する場合でも極めて簡便にできる効果がある。
【考案を実施するための最良の形態】
【００１２】
以下本考案の実施の形態を示す図１〜図８を用いて説明する。
図１，図２は、指向性を備えるアンテナ部材８をケース６で包囲してなるアンテナ主体部２と、中空円筒状に形成してあって、上面を上記アンテナ主体部２のケース６の下面に一体的に連結してある円筒状の連繋部材３とを備え、さらに、上方が開口された中空穴状であって内周面は円筒状にしてある嵌合孔２１ａを備える把持手段２０を表示した屋内、屋外両用アンテナを示す。
図中、２は地上波用アンテナ主体部で、６は周知のように電波を通し易い合成樹脂材料で形成されたケースを示す。６ａはケースを構成する下側部材、６ｂはケースを構成する上側部材で、両者は図示のように、周知のビスなどの接合部材を用いて上下分離自在に合体させ一体化してある。上面に表示してある矢印２ｂはケース内のアンテナ部材８における指向方向を表す表示であり、アンテナ設置時にはこの矢印を信号到来方向2aに合致させればよい。なお指向方向を表す表示2bは図１（Ｂ）にも示されているように、下の方から見上げた状態において矢印2bの方向が分かるように地上波用アンテナ主体部２の下面に表示してあっても良い。
ケース６の平面形状は、アンテナ部材８を収容するに適当な形状であればよい。しかし、屋外に設置する場合を考慮すると、図４から明らかなように後半部の形状は、連繋部材３の回転中心を心にして地上波用アンテナ主体部２を回動させた場合、ケース６が支柱４３に当らないように半円形に形成してあればよい。
【００１３】
３は強度の優れた合成樹脂材料で円筒状に形成してある連繋部材を示し、３ａはケース６に固着した元部、３ｂは外周面、３ｃは中空部を表すものである。連繋部材３と、ケース６とは一体材で１体に形成してあっても、別体製作の後、合体させたものであっても良い。
４は上記外周面３ｂに周設した凹溝状の止部を示し、押ねじ25の先端を係合させ、ケース６を３６０度回転させるときに連繋部材３が軸心方向への脱けを防止する為のものである。従って上記の凹溝状の止部４は方位角調整溝１７としても有効である。
【００１４】
アンテナ部材８、例えば周知の地上デジタル放送受信用のアンテナにおいて、８ａはアンテナ本体の給電部の存在を示し、９と、１０とは導波部と反射部の存在を夫々示し、必要に応じて全て、又は選択的に設けられる。これらは周知のように、支持軸8bで、受信効率の良好な状態に軸芯上に配列して支持されている。１４は、周知のように上記アンテナ本体の給電部8aに接続されている接続部材、例えばコネクターで、これの接続口１５には同軸ケーブル１１が接続される。コネクター１４は、ケースに対して図示のように設けられた貫通孔１３に、それを貫通する状態で固着されている。
【００１５】
２１は、把持手段２０における把持部材で、円筒状に形成され、内側には
嵌合孔２１ａが形成されている。把持部材２１の下端には環状の受止部材２２が一体成形により形成され、その上面は受止面２３となっている。なお必要に応じて受止部材２２には外周方向に向けて同軸ケーブル１１を引き出す為の透孔があればよい。受止部材２２の内側に位置する２４は必要に応じて同軸ケーブル１１を通す為の挿通孔である。
次に２５は、図に示された状態で連繋部材３と把持手段２０とを固着する為の止具の存在を示す。止具は周知の手段を用いればよく、例えば図示のような押ねじ２５を用いて、図６のように締付固着可能にしておけばよい。
【００１６】
図２〜図６に表れている把持手段２０は、夫々合成樹脂材で形成されており、上方が開口された中空穴状であって内周面には円筒状にしてある嵌合孔２１ａを備える。この把持手段２０における内部の形状は、図示のように上記連繋部材３の外周面３ｂを、上方から、上記嵌合孔２１ａに対して、着脱自在で、かつ、回転自在に嵌合できる対応形状に形成してある。
【００１７】
図３、図４に表れている把持手段２０は、上方が開口された中空穴状であって内周面は円筒状にしてある嵌合孔２１ａを備える把持手段２０であり、これの把持手段２０には隣接一体状態で備えさせた造営物取付手段２７が備えられ、これらにより構成されたアンテナ支持構造２６の構成が図示されている。
このアンテナ支持構造２６において、２７は造営物取付手段を示し、合成樹脂材で把持手段２０と一体に成形された持出腕２８、２８を備える。この持出腕２８は元部２８ａを把持手段２０側とし、自由端側には当付部２９を一体材で形成してある。この当付部２９にはＶ字状凹部が形成され、支柱４３の当付を可能にしている。
一対の持出腕２８には図示のように、周知形状の、Ｕ字ボルト挿通孔３０、３０が設けられており、これにはＵ字ボルト３１の元部が挿通されている。
３２は当付部材を示し、例えば金属板を図示のように凹状の当部３３ができるように成し、両側にはボルト挿通用の孔３２ａが夫々に設けられている。３４はＵ字ボルト３１の先端に設けられる雄ネジに螺合させる蝶ナットを示す。１１ａは、周知の同軸ケーブルを固定するための止部材の存在を示す。
アンテナ（屋内屋外両用）１は、上記の諸部材でもって構成される。
【００１８】
図５、図６に表れている把持手段２０には、卓上載置手段３６が付され、アンテナ支持台３５が構成されている。把持手段２０と、卓上載置手段３６で構成される卓上載置手段３６は、把持手段２０と一体材で図示のように成形されている。
卓上載置手段３６において、３７は転倒防止の為、比較的広く形成されている置台、３８は補強板を兼ねる鉄板、３９は必要に応じて形成される脚部材、４０は挿通孔、４１は卓上載置手段３６における上端を示す。
【００１９】
４５、４６と、図1の４７は、把持部材２１の内側と、連繋部材３の外周に対し必要に応じて設ける抜止手段で、４５は挿入溝、４６は抜止溝、４７は抜止ピンを示す。
【００２０】
上記構成のものについての利用例を説明する。
まず図１、２に表われている地上波用アンテナ主体部２と、把持手段２０と、同軸ケーブル１１とを用意する。予め把持手段２０の下部にある環状の受止部材２２を貫通させてある透孔（図示省略）に対して、図２のように同軸ケーブル１１を挿通させた状態にする。
次に把持手段２０を載置場所、例えば棚板上に置く。必要に応じて受止部材２２の下面を棚板に両面テープで固定する。
次に上記把持手段２０における嵌合孔２１ａに対して、上記連繋部材３を、上方から図２のように挿入し、その状態で、着脱自在で、かつ、回転自在に把持部材２１に嵌合させる。
次に地上波用アンテナ主体部２を回動させ、指向方向表示２ｂを信号到来方向２ａに合致させ、把持手段２０に備えさせた止具（押ねじ）２５を用いて把持手段２０における把持部材２１と連繋部材３とを固定する。
【００２１】
次に屋外において地上波用アンテナ主体部２を設置する例を説明する。上記図３、図４に示されるように、上方が開口された中空穴状であって内周面は円筒状にしてある嵌合孔２１ａを備える把持手段２０と、把持手段２０に隣接一体状態で備えさせた造営物取付手段２７を用意する。
支柱４３に対する装着にあたっては、予め次の手段を講じておく。まず、持出腕２８におけるＵ字ボルト挿通孔３０に対しては、この種の取付手段において周知のＵ字状に形成されたＵ字ボルト３１を図３（Ａ）、図４に示されるように挿通する。
次に、支柱４３に対して、当付部２９を当て付けると共に、当付部材３２における当部３３を図示のように支柱４３に当て付け、当付部２９と当部３３とを引き寄せる状態で持出腕２８と当付部材３２とを締め付け固定する。
この場合、Ｕ字ボルト３１の雄ネジ部分３１ａに対して、蝶ナット３４を螺合させることにより、締め付けは完成する。
このようにして、造営物取付手段２７における持出腕２８が支柱４３に固着されたのちは、図１、図２を用いて前述したと同様の手段により、把持手段２０に対する地上波用アンテナ主体部２における連繋部材３の装着は行われる。
【００２２】
次に屋内において地上波用アンテナ主体部２を設置する例を説明する。上記図５、図６に示されるように、上方が開口された中空穴状であって内周面は円筒状にしてある嵌合孔２１ａを備える把持手段２０と、把持手段２０の下側において把持手段２０と一体状態に構成され、かつ、下側は、卓上４２に載置可能に構成されている卓上載置手段３６を用意する。
卓上載置手段３６が用意された後は、図１、図２を用いて前述したと同様の手段により、把持手段２０に対する地上波用アンテナ主体部２における連繋部材３の装着は行われる。
【００２３】
次に図５（（Ａ）は斜視図、（Ｂ）は内周面の拡大展開図）に示される挿入溝４５、抜止溝４６は、図１（Ｂ）に表われている抜止ピン４７に対応させたもので、把持部材２１に対して連繋部材３を挿入するとき、抜止ピン４７を挿入溝４５に嵌合させた状態で挿入し、次に抜止ピン４７を抜止溝４６に嵌合するように連繋部材３を回すと、連繋部材３は周方向には回るが、軸心方向には抜けないことになる。
【００２４】
次に、図７について説明する。図７は、図１に示される地上波用アンテナ主体部２とは、ケース５０の外形形状及びアンテナ部材５１の構成の点において異なる地上波用アンテナ主体部２を説明する為のものである。ケース５０は、前述のケース６と同様に、ケースを構成する部材（後側部材）５０a及びケースを構成する部材（前側部材）５０ｂは共に合成樹脂で形成され、アンテナ部材５１を収納する為の中空部（アンテナ部材収納室５０ｅ）を備える。アンテナ部材５１は周知のものであって、それの指向性は矢印２ｂ方向を向いている。ケース５０の開口部50dに対するケースを構成する部材（前側部材）５０ｂの装着は任意手段を用いるとよい。例えば、ケース６の場合と同様でもよい。
なお、図７の説明に当たって、図に表われる構成、諸部材については、前述した図１〜６に対応する構成、機能の点において同一視し得ると考えられる部分には、図１〜６に用いた符号と同一の符号を付して図１〜６とは重複する説明を省略する。また次図のものにおいても同様の考えで、前述の図１〜図６と同一の符号を付して重複する説明を省略する。
【００２５】
次に図８は、把持手段２０における円柱状の把持部材２１の高さ方向寸法と、連繋部材３の上下方向の寸法の長短により、連繋部材３の下端が受止部材２２の受面２３に当って位置決めされる例を示す。なお長短逆の事例は、図６に示す。
【図面の簡単な説明】
【００２６】
【図１】（A）は、地上波用アンテナ主体部２を斜め上方向から見た斜視図、（B）は、斜め下方向から見上げた斜視図。
【図２】は、地上波用アンテナ主体部２の内部にアンテナ部材８が存在すること、及び連繋部材３と把持手段２０との関係を説明するための断面図。
【図３】（A）は、支柱４３に対してアンテナ支持構造２６を装着した状態を示す斜視図。（B）は、当付部材３２と蝶ナット３４の分解斜視図。
【図４】（A）は、把持手段２０と造営物取付手段２７から成るアンテナ支持構造２６のIVーIV線断面図を示し、同時にアンテナ支持構造２６と地上波用アンテナ主体部２の位置関係をも示すものである。（B）は、上記アンテナ支持構造２６の断面図を示すものであり、ケース６と支柱の関係及び地上波用アンテナ主体部２との関係を説明するための図である。
【図５】（A）は、把持手段２０の斜視図を示し、（B）は、把持部材２１の内部に設けた抜止溝４６と方位角調整溝１７の拡大展開図。
【図６】は、地上波用アンテナ主体部２と、把持手段２０と、卓上載置手段３６との関係を説明するための縦断面図である。
【図７】は、図１に示される地上波用アンテナ主体部２とは異なる例を説明するための分解斜視図。
【図８】は、図６とは連繋部材３及び卓上載置手段３６の関係において、異なる例を説明する一部破断断面図。
【符号の説明】
【００２７】
１・・・アンテナ（屋内屋外両用）、２・・・地上波用アンテナ主体部、２ａ・・・信号到来方向、２ｂ・・・指向方向表示、３・・・連繋部材、３ａ・・・元部、３ｂ・・・外周面、３ｃ・・・中空部、４・・・止部、６・・・ケース、６ａ・・・ケースを構成する部材（下側部材）、６ｂ・・・ケースを構成する部材（上側部材）、８・・・アンテナ部材、８ａ・・・アンテナ本体の給電部、９・・・導波部、１０・・・反射部、１１・・・同軸ケーブル、１３・・・貫通孔、１４・・・コネクター、１５・・・接続口、１７・・・方位角調整溝、２０・・・把持手段、２１・・・把持部材、２１ａ・・・嵌合孔２１ａ、２２・・・受止部材、２３・・・受止面、２４・・・挿通孔、２５・・・止具（押ねじ）、２６・・・アンテナ支持構造、２７・・・造営物取付手段、２８・・・持出腕、２８ａ・・・元部、２９・・・当付部、３０・・・Ｕ字ボルト挿通孔、３１・・・Ｕ字ボルト、３２・・・当付部材、３３・・・当部、３４・・・蝶ナット、３５・・・アンテナ支持台、３６・・・卓上載置手段、３７・・・置台、３８・・・鉄板、３９・・・脚部材、４０・・・挿通孔、４１・・・上端、４３・・・支柱、４５・・・挿入溝、４６・・・抜止溝、４７・・・抜止ピン、５０・・・ケース、５０ａ・・・ケースを構成する部材（後側部材）、５０ｂ・・・ケースを構成する部材（前側部材）、５０ｄ・・・開口部、５０e・・・アンテナ部材収納室、５１・・・アンテナ部材
【図１】
0003127558.tif 000003
【図２】
0003127558.tif 000004
【図３】
0003127558.tif 000005
【図４】
0003127558.tif 000006
【図５】
0003127558.tif 000007
【図６】
0003127558.tif 000008
【図７】
0003127558.tif 000009
【図８】
0003127558.tif 000010